(57)【特許請求の範囲】
【請求項１】
外筒と、
前記外筒の内周面で筒軸方向に延び、横断面が二つの傾斜部と平坦部で富士山形に形成される第一の係合溝と、
前記外筒の内周面における前記第一の係合溝とは周方向の異なる位置で、筒軸方向に延び、前記周方向における最大幅寸法が、前記平坦部の幅よりも小さく設定されている第二の係合溝と、
前記外筒の内部に回転自在となるように挿入され、複数枚の仕切り板を所定間隔で積層状態に連結して形成される内筒と、
前記連結された複数枚の仕切り板を軸方向に貫通する鍵穴と、
施錠状態において前記第一の係合溝および前記第二の係合溝にそれぞれ対応する位置で前記内筒の外周部の軸方向に延びるように形成される第一の切り欠き溝および第二の切り欠き溝と、
前記第一の切り欠き溝および前記第二の切り欠き溝にそれぞれスライド可能に支持され前記内筒の軸方向に延びる第一のロッキングバーおよび第二のロッキングバーと、
前記第一の切り欠き溝および前記第二の切り欠き溝の開放部側にある前記第一のロッキングバーおよび前記第二のロッキングバーの一端が、前記第一の係合溝および前記第二の係合溝に係合するように前記第一のロッキングバーおよび前記第二のロッキングバーをそれぞれ付勢するバネと、
前記仕切り板の間で支持されて、前記鍵穴に挿入される鍵の刻み部との接触により前記鍵の刻みの高さに応じた角度にスイングする複数枚のロータリータンブラーと、
前記各ロータリータンブラーに形成され、合鍵が前記鍵穴に挿入される場合にのみ前記第一の切り欠き溝に一致するように整列して前記第一のロッキングバーの他端を受け入れる一の開錠用切り欠きと、
前記各ロータリータンブラーに形成される複数個の独立した切り欠きで構成される固定用切り欠きと、を備え、
前記固定用切り欠きは、鍵穴に挿入される鍵が、予め設定されている複数種類の高さの刻みのいずれかの刻みを有する鍵であれば、前記独立した切り欠きのいずれかが前記第二の切り欠き溝に一致するように整列して前記第二のロッキングバーの他端を受け入れるものであり、
前記内筒を施錠状態から開錠状態まで回転させる過程において、前記第二のロッキングバーの一端が前記第二の係合溝の傾斜部に押し出されて、前記第二の係合溝から外れた後に、前記第一のロッキングバーの一端が前記第一の係合溝に押し出されて、前記第一の係合溝から外れるように構成されているとともに、第一の係合溝と第二のロッキングバー、および第二の係合溝と第一のロッキングバーが係合状態とならないように構成されていることを特徴とするロータリーディスクシリンダー錠。
【請求項２】
外筒と、
前記外筒の内周面で筒軸方向に延びる第一の係合溝と、
前記外筒の内周面における前記第一の係合溝とは周方向の異なる位置で、筒軸方向に延び、第一の係合溝と周方向における幅が同じ第二の係合溝と、
前記外筒の内部に回転自在となるように挿入され、複数枚の仕切り板を所定間隔で積層状態に連結して形成される内筒と、
前記連結された複数枚の仕切り板を軸方向に貫通する鍵穴と、
施錠状態において前記第一の係合溝および前記第二の係合溝にそれぞれ対応する位置で前記内筒の外周部の軸方向に延びるように形成される第一の切り欠き溝および第二の切り欠き溝と、
前記第一の切り欠き溝および前記第二の切り欠き溝にそれぞれスライド可能に支持され前記内筒の軸方向に延びる第一のロッキングバーおよび第二のロッキングバーと、
前記第一の切り欠き溝および前記第二の切り欠き溝の開放部側にある前記第一のロッキングバーおよび前記第二のロッキングバーの一端が、前記第一の係合溝および前記第二の係合溝に係合するように前記第一のロッキングバーおよび前記第二のロッキングバーをそれぞれ付勢するバネと、
前記仕切り板の間で支持されて、前記鍵穴に挿入される鍵の刻み部との接触により前記鍵の刻みの高さに応じた角度にスイングする複数枚のロータリータンブラーと、
前記各ロータリータンブラーに形成され、合鍵が前記鍵穴に挿入される場合にのみ前記第一の切り欠き溝に一致するように整列して前記第一のロッキングバーの他端を受け入れる一の開錠用切り欠きと、
前記各ロータリータンブラーに形成される複数個の独立した切り欠きで構成される固定用切り欠きと、を備え、
前記固定用切り欠きは、鍵穴に挿入される鍵が、予め設定されている複数種類の高さの刻みのいずれかの刻みを有する鍵であれば、前記独立した切り欠きのいずれかが前記第二の切り欠き溝に一致するように整列して前記第二のロッキングバーの他端を受け入れるものであり、
前記第一のロッキングバーの一端と前記第二のロッキングバーの一端の幅の広狭により、  前記内筒を施錠状態から開錠状態まで回転させる過程において、前記第二のロッキングバーの一端が前記第二の係合溝に押し出されて、前記第二の係合溝から外れた後に、前記第一のロッキングバーの一端が前記第一の係合溝に押し出されて、前記第一の係合溝から外れるように構成されているとともに、第一の係合溝と第二のロッキングバー、および第二の係合溝と第一のロッキングバーが係合状態とならないように構成されていることを特徴とするロータリーディスクシリンダー錠。
【請求項３】
前記外筒は、前記第一の係合溝が形成されている第一の外筒と前記第二の係合溝が形成されている第二の外筒とを連結して形成されたものであることを特徴とする請求項１又は２に記載のロータリーディスクシリンダー錠。
【発明の詳細な説明】
【０００１】
【発明の属する技術分野】
本発明は、不正開錠対策を施したロータリーディスクシリンダー錠に関する。
【０００２】
【従来の技術】
近年、ピッキングによる空き巣被害が急増しており、これに対応するためにピッキング対策を施した錠が使用されるようになってきている。例えば、鍵に対してシリンダーの多方向から多数の付勢ピンを作用させるようにしたものや、鍵とシリンダーに埋設されたマグネットの反発力で、外筒側から内筒側にバネ付勢されているロック部材を外筒側に退避させるようにしたもの等がある。
【０００３】
【発明が解決しようとする課題】
しかしながら、前述のようなピッキング対策錠は、シリンダー構造が複雑であるとともに高い加工精度が要求され、高価なものになる。また、鍵形状が複雑であるために、スペアキーが必要な場合はメーカーに製作注文しなければならず、コスト高であるうえに、長時間を要するという問題がある。
【０００４】
本発明は、かかる実情に鑑みて、ピッキングが困難な構造でありながら、シリンダー構造や鍵形状が簡単で、スペアキーの製作を安価に行えるロータリーディスクシリンダー錠を提供するものである。
【０００５】
【課題を解決するための手段】
請求項１の発明に係るロータリーディスクシリンダー錠は、外筒と、
前記外筒の内周面で筒軸方向に延び、横断面が二つの傾斜部と平坦部で富士山形に形成される第一の係合溝と、
前記外筒の内周面における前記第一の係合溝とは周方向の異なる位置で、筒軸方向に延び、前記周方向における最大幅寸法が、前記平坦部の幅よりも小さく設定されている第二の係合溝と、
前記外筒の内部に回転自在となるように挿入され、複数枚の仕切り板を所定間隔で積層状態に連結して形成される内筒と、
前記連結された複数枚の仕切り板を軸方向に貫通する鍵穴と、
施錠状態において前記第一の係合溝および前記第二の係合溝にそれぞれ対応する位置で前記内筒の外周部の軸方向に延びるように形成される第一の切り欠き溝および第二の切り欠き溝と、
前記第一の切り欠き溝および前記第二の切り欠き溝にそれぞれスライド可能に支持され前記内筒の軸方向に延びる第一のロッキングバーおよび第二のロッキングバーと、
前記第一の切り欠き溝および前記第二の切り欠き溝の開放部側にある前記第一のロッキングバーおよび前記第二のロッキングバーの一端が、前記第一の係合溝および前記第二の係合溝に係合するように前記第一のロッキングバーおよび前記第二のロッキングバーをそれぞれ付勢するバネと、
前記仕切り板の間で支持されて、前記鍵穴に挿入される鍵の刻み部との接触により前記鍵の刻みの高さに応じた角度にスイングする複数枚のロータリータンブラーと、
前記各ロータリータンブラーに形成され、合鍵が前記鍵穴に挿入される場合にのみ前記第一の切り欠き溝に一致するように整列して前記第一のロッキングバーの他端を受け入れる一の開錠用切り欠きと、
前記各ロータリータンブラーに形成される複数個の独立した切り欠きで構成される固定用切り欠きと、を備え、
前記固定用切り欠きは、鍵穴に挿入される鍵が、予め設定されている複数種類の高さの刻みのいずれかの刻みを有する鍵であれば、前記独立した切り欠きのいずれかが前記第二の切り欠き溝に一致するように整列して前記第二のロッキングバーの他端を受け入れるものであり、
前記内筒を施錠状態から開錠状態まで回転させる過程において、前記第二のロッキングバーの一端が前記第二の係合溝の傾斜部に押し出されて、前記第二の係合溝から外れた後に、前記第一のロッキングバーの一端が前記第一の係合溝に押し出されて、前記第一の係合溝から外れるように構成されているとともに、第一の係合溝と第二のロッキングバー、および第二の係合溝と第一のロッキングバーが係合状態とならないように構成されていることを特徴とする。
【０００６】
請求項２の発明に係るロータリーディスクシリンダー錠は、外筒と、
前記外筒の内周面で筒軸方向に延びる第一の係合溝と、
前記外筒の内周面における前記第一の係合溝とは周方向の異なる位置で、筒軸方向に延び、第一の係合溝と周方向における幅が同じ第二の係合溝と、
前記外筒の内部に回転自在となるように挿入され、複数枚の仕切り板を所定間隔で積層状態に連結して形成される内筒と、
前記連結された複数枚の仕切り板を軸方向に貫通する鍵穴と、
施錠状態において前記第一の係合溝および前記第二の係合溝にそれぞれ対応する位置で前記内筒の外周部の軸方向に延びるように形成される第一の切り欠き溝および第二の切り欠き溝と、
前記第一の切り欠き溝および前記第二の切り欠き溝にそれぞれスライド可能に支持され前記内筒の軸方向に延びる第一のロッキングバーおよび第二のロッキングバーと、
前記第一の切り欠き溝および前記第二の切り欠き溝の開放部側にある前記第一のロッキングバーおよび前記第二のロッキングバーの一端が、前記第一の係合溝および前記第二の係合溝に係合するように前記第一のロッキングバーおよび前記第二のロッキングバーをそれぞれ付勢するバネと、
前記仕切り板の間で支持されて、前記鍵穴に挿入される鍵の刻み部との接触により前記鍵の刻みの高さに応じた角度にスイングする複数枚のロータリータンブラーと、
前記各ロータリータンブラーに形成され、合鍵が前記鍵穴に挿入される場合にのみ前記第一の切り欠き溝に一致するように整列して前記第一のロッキングバーの他端を受け入れる一の開錠用切り欠きと、
前記各ロータリータンブラーに形成される複数個の独立した切り欠きで構成される固定用切り欠きと、を備え、
前記固定用切り欠きは、鍵穴に挿入される鍵が、予め設定されている複数種類の高さの刻みのいずれかの刻みを有する鍵であれば、前記独立した切り欠きのいずれかが前記第二の切り欠き溝に一致するように整列して前記第二のロッキングバーの他端を受け入れるものであり、
前記第一のロッキングバーの一端と前記第二のロッキングバーの一端の幅の広狭により、  前記内筒を施錠状態から開錠状態まで回転させる過程において、前記第二のロッキングバーの一端が前記第二の係合溝に押し出されて、前記第二の係合溝から外れた後に、前記第一のロッキングバーの一端が前記第一の係合溝に押し出されて、前記第一の係合溝から外れるように構成されているとともに、第一の係合溝と第二のロッキングバー、および第二の係合溝と第一のロッキングバーが係合状態とならないように構成されていることを特徴とする。
【０００７】
請求項３の発明に係るロータリーディスクシリンダー錠は、請求項１又は２に記載のロータリーディスクシリンダー錠において、前記外筒は、前記第一の係合溝が形成されている第一の外筒と前記第二の係合溝が形成されている第二の外筒とを連結して形成されたものであることを特徴とする。
【０００８】
本発明に係るロータリーディスクシリンダー錠によれば、すべてのロータリータンブラーの開錠用切り欠きが仕切り板の第一の切り欠き溝に一致するように整列していなくても、第二ロッキングバーが各ロータリータンブラーに形成された複数の固定用切り欠きのいずれかに受け入れられることとなる。しかも、内筒を回転させる過程において、第二ロッキングバーが第二の係合溝から外れた状態となった後に、第一ロッキングバーが外れるように構成されている。
【０００９】
したがって、ピッキングによる不正開錠を試みて内筒を回転させると、第二ロッキングバーがいずれかの固定用切り欠きに嵌まり込んで各ロータリータンブラー間のスイング位置の関係が固定された状態で、初めて第一ロッキングバーがロータリータンブラーに対して接触することになる。そのため、ピッキング工具を最初に差し込んだ時点で、すべてのタンブラーについて合鍵を差し込んだときと同じ状態を再現できない限り、開錠は不可能となる。また、鍵は従来のロータリーディスクシリンダー錠のものと同じタイプのものを使用することができるので、スペアキーの製作は安価かつ迅速に行うことができるものである。
【００１０】
【発明の実施の形態】
以下、本発明の実施の形態について、図面を参照しながら説明する。  図１は、本発明に係るロータリーディスクシリンダー錠の実施形態の一例で、積層状態に連結された仕切り板間の間隙内部を示した図（図２および図３のＡ−Ａ断面）である。図２および図３はロータリーディスクシリンダー錠の中心軸を通る断面を示した図で、それぞれ図１のＢ−Ｂ断面およびＣ−Ｃ断面に相当する。
【００１１】
本発明に係るロータリーディスクシリンダー錠１は、主として、外筒２、外筒２の内部に回転自在となるように挿入される内筒３、内筒３に対してスイング可能に軸支持される複数枚のロータリータンブラー４、ならびに外筒２と内筒３のシアライン７上に配設され筒軸方向に延びて外筒２と内筒３の相対回転を阻止する第一のロッキングバー５および第二のロッキングバー６により構成される。
【００１２】
外筒２は内周面が円筒状に形成された肉厚の金属製筒体であり、筒軸方向で複数個に分割される第一の外筒２１および第二の外筒２２をビス２３で連結することにより構成される。第一の外筒２１の内周面には、横断面が傾斜部２１１ａ，２１１ｂならびに平坦部２１１ｃで形成される富士山形であるとともに、筒軸方向に延びて第一のロッキングバー５を係合させる第一の係合溝２１１が形成されている。第二の外筒２２の内周面には、横断面が傾斜部２２１ａ，２２１ｂで形成される山形であるとともに、第一の係合溝２１１とは周方向の異なる位置で、筒軸方向に延びて第二のロッキングバー６を係合させる第二の係合溝２２１が形成されている。周方向における第一の係合溝２１１の幅寸法は第二の係合溝２２１の幅寸法よりも広く設定されているが、さらに詳しく述べると、係合溝２１１の平坦部２１１ｃの幅ｅは係合溝２２１の最大幅ｆと同等以上の大きさに設定されている。なお、外筒２の端部には、内筒３の抜け止めとなるストッパ２１ｂおよび内筒３のフロント部を支持する支持枠２３が設けられている。
【００１３】
内筒３は、外筒２の内周径より僅かに小さな外径を有する複数枚の仕切り板３１が、スペーサ３２，３３により相互に所定間隔をおいた積層状態でビス３４により連結固定されることにより形成される。各仕切り板３１の外周部には、外筒２と内筒３とが施錠状態の位置関係にあるときに、第一の係合溝２１１および第二の係合溝２２１にそれぞれ対応する位置で軸方向に延びるように形成された第一の切り欠き３１１および第二の切り欠き３１２が形成されている。また、各仕切り板３１の中央部には、軸方向に延びるように形成された鍵穴３１３が形成されている。
【００１４】
ロータリータンブラー４は、仕切り板３１の間に形成された複数個の間隙３５のそれぞれに収納されるように、かつ、その外周縁部が第一の切り欠き３１１および第二の切り欠き３１２とラップするような状態でスイング可能となるように、支持軸４１により仕切り板３１に支持されており、バネ４２によりスペーサ３３に押し付けられるように付勢されている。ロータリータンブラー４の中央部には鍵穴３１３とラップするように貫通孔４３が形成されており、鍵穴３１３に差し込まれた鍵の刻みが貫通孔４３の縁部に接触することによりロータリータンブラー４がスイングする。なお、相隣接するロータリータンブラー４のスイング向きは、逆向きとされている。本実施形態では、鍵の刻みの高さは低、中、高の３種類が設定されており、それぞれの刻みの高さに応じて図１（低）、図４（中）、図５（高）に示されるようにロータリータンブラー４のスイング角度が異なってくる。図に示されるロータリータンブラー４では、このタンブラーに対応する刻みの高さが中である鍵が差し込まれた場合（図４の場合）にのみ、第一の切り欠き溝３１１に一致する開錠用切り欠き４１１が外縁部に形成されている。もちろん、本ロータリーディスクシリンダー１全体としては、刻みの高さが低あるいは高の場合にのみ第一の切り欠き溝３１１と一致するように、開錠用切り欠き４１１が４１１ｘあるいは４１１ｙの位置に設定されているロータリータンブラー４も組み合わされている。また、刻みの高さが低、中、高のいずれの鍵が差し込まれても、第二の切り欠き溝３１２に一致する固定用切り欠き４１２が形成されている。固定用切り欠き４１２は、４１２ａ，４１２ｂ，４１２ｃの３つの独立した切り欠きから構成される。
【００１５】
第一のロッキングバー５は、内筒３の第一の切り欠き溝３１１にスライド可能に支持されるとともに、両端部に配設されたバネ５３により外方へ突出するように付勢されており、施錠状態において、第一の切り欠き溝３１１の開放部３１１ａ側にある山形の一端５１が第一の係合溝２１１に係合する。一端５１には、第一の係合溝２１１との係合が阻害されないように、第二の外筒２２の内周面との干渉を避ける逃げ部５１１が形成されている。なお、複数枚あるロータリータンブラー４のいずれか一枚でも第一の切り欠き溝３１１と開錠用切り欠き４１１が一致しない状態で内筒３を回転させた場合、第一の切り欠き溝３１１の底部３１１ｂ側にある第一のロッキングバー５の他端５２がロータリータンブラー４の外周部と干渉して、ロッキングバー５は第一の係合溝２１１から退避できないようになっている。
【００１６】
第二のロッキングバー６は、内筒３の第二の切り欠き溝３１２にスライド可能に支持されるとともに、両端部に配設されたバネ６３により外方へ突出するように付勢されており、施錠状態において第二の切り欠き溝３１２の開放部３１２ａ側にある山形の一端６１が第二の係合溝２２１に係合する。一端６１は、第二の係合溝２２１との係合が阻害されないように、第一の外筒２１の内周面との干渉を避ける逃げ部６１１が形成されている。
【００１７】
次に、上記した実施の形態の作動を説明する。鍵穴３１３に合鍵を挿入した場合、すべてのロータリータンブラー４の開錠用切り欠き４１１および固定用切り欠き４１２が、切り欠き溝３１１および３１２に一致した状態で整列する。したがって、内筒３を回転させると、第一および第二のロッキングバー４，５がバネ５３，６３の付勢力に抗して内方にスライドし、係合溝２１１，２２１から退避して、ロックが解除される。
【００１８】
ピッキングによる不正開錠を試みた場合、すべてのロータリータンブラー４の開錠用切り欠き４１１が第一の切り欠き溝３１１に一致していなくても、固定用切り欠き４１２については、３つの固定用切り欠き４１２ａ〜４１２ｃのいずれかが第二の切り欠き溝３１２に一致した状態となる。ここで内筒３を回転させると、まず第二ロッキングバー６が幅の狭い第二の係合溝２２１の傾斜部２２１ｂに押し出されて、第二の係合溝２２１から外れ、図６に示されるように固定用切り欠き４１２に受け入れられる。そのため、第二ロッキングバー６により開錠できない状態にロータリータンブラー４どうしのスイング位置の関係が固定されてしまうことになる。さらに内筒３を回転させると、今度は第一ロッキングバー５の一端５１が幅の広い第一の係合溝２１１の傾斜部２１１ｂに押し出されて、第一の係合溝２２１から外れる方向にスライドし、ロータリータンブラー４に接触して、開錠用切り欠き４１１の位置を探る作業が可能となる。しかし、すでにロータリータンブラー４どうしのスイング位置の関係が固定されているため、ロックの解除は不可能となるものである。
【００１９】
本実施形態では、外筒２は、筒軸方向で複数個に分割される第一の外筒２１および第二の外筒２２を連結すること構成されていたが、あらかじめ一体に形成して、筒軸方向でずらした位置に第一の係合溝２１１と第二の係合溝２２１を形成するようにしてもよい。
【００２０】
本実施形態では、第一の係合溝２１１を幅広、第二の係合溝２２１を幅狭とすることで、第二ロッキングバー６が第二の係合溝２２１から外れた後に第一ロッキングバー５が前記第一の係合溝２１１から外れるようにしたが、係合溝２１１，２２１の幅は同じにしておき、第一ロッキングバー５の一端５１を幅広、第二ロッキングバーの一端６１を幅狭とすることで対応させてもよい。
【００２１】
本実施形態では、ロータリータンブラー４は、中央部に貫通孔４３を有するリング形状とされていたが、例えばＣ字形状のようなものであってもよい。
【００２２】
本実施形態では、鍵の刻みの高さは、低、中、高の３種類のみとされていたが、２種類あるいは４種類以上であってもよい。
【００２３】
その他、本発明のロータリーディスクシリンダー錠は、上記実施形態に限定されるものではなく、本発明の要旨を逸脱しない範囲内において種々変更を加え得ることは勿論である。
【００２４】
【発明の効果】
以上、説明したように本発明によれば、ピッキングによる不正開錠を試みて内筒を回転させると、第二ロッキングバーがいずれかの固定用切り欠きに嵌まり込んで各ロータリータンブラー間のスイング位置の関係が固定された状態で、初めて第一ロッキングバーがロータリータンブラーに対して接触することになる。すなわち、ピッキング工具を最初に差し込んだ時点で、すべてのタンブラーについて合鍵を差し込んだときと同じ状態を再現できない限り、開錠は不可能となるという優れた効果を奏し得るものである。また、鍵は従来のロータリーディスクシリンダー錠のものと同じタイプのものを使用することができるので、スペアキーの製作は安価かつ迅速に行うことができるものである。
【図面の簡単な説明】
【図１】  本発明に係るロータリーディスクシリンダー錠の実施形態について、積層状態に連結された仕切り板間の間隙内部を示したもので、図２および図３のＡ−Ａ断面図である。
【図２】  ロータリーディスクシリンダー錠の中心軸を通る断面を示した図で、図１のＢ−Ｂ断面に相当する図である。
【図３】  ロータリーディスクシリンダー錠の中心軸を通る断面を示した図で、図１のＣ−Ｃ断面に相当する図である。
【図４】  図１に相当する図であり、ロータリータンブラーが刻みの高さが中の鍵が差し込まれた位置にある状態を示す図である。
【図５】  図１に相当する図であり、ロータリータンブラーが刻みの高さが高の鍵が差し込まれた位置にある状態を示す図である。
【図６】  ピッキングによる不正開錠を試みた場合を説明する図である。
【符号の説明】
１    ロータリーディスクシリンダー錠
２    外筒
３    内筒
４    ロータリータンブラー
５    第一のロッキングバー
６    第二のロッキングバー
３１    仕切り板
２１１    第一の係合溝
２２１    第二の係合溝
３１１    第一の切り欠き溝
３１２    第二の切り欠き溝
３１３    鍵穴
４１１    開錠用切り欠き
４１２    固定用切り欠き
【図１】
0004109005.tif 000002
【図２】
0004109005.tif 000003
【図３】
0004109005.tif 000004
【図４】
0004109005.tif 000005
【図５】
0004109005.tif 000006
【図６】
0004109005.tif 000007